【手続補正書】
【提出日】平成19年6月20日(2007.6.20)
【手続補正１】
【補正対象書類名】明細書
【補正対象項目名】特許請求の範囲
【補正方法】変更
【補正の内容】
【特許請求の範囲】
【請求項１】  物体側より順に、正の屈折力を有する第1レンズ群、負の屈折力を有する第２レンズ群、開口絞り、正の屈折力を有する第３レンズ群、正の屈折力を有する第４レンズ群からなり、広角端から望遠端への変倍時には、少なくとも該第1、第３、第４レンズ群が光軸上を移動することで各レンズ群間の空気間隔を変化させるズームレンズであって、該第３レンズ群は最も像側に負の屈折力の単レンズより成る第３ｎレンズを有し、該第３ｎレンズを光軸に対し垂直方向に移動することにより該ズームレンズが振動したときに生ずる画像ブレの補正を行うことを特徴とする防振機能を有したズームレンズ。
【請求項２】  前記第３ｎレンズの材質のアッベ数をν３ｎとしたとき
ν３ｎ＞４５
なる条件を満足することを特徴とする請求項1に記載の防振機能を有したズームレンズ。
【請求項３】  前記第３ｎレンズの焦点距離をｆ３ｎ、前記第３レンズ群の焦点距離をｆ３、広角端における全系の焦点距離をｆｗ、望遠端における全系の焦点距離をｆｔとしたとき、
−３．５＜ｆ３ｎ／ｆ３＜−１．５
【数１】
2002006217.tif 000001
なる条件を満足することを特徴とする請求項１又は２の防振機能を有したズームレンズ。
【請求項４】  第ｉレンズ群の焦点距離をｆｉ、広角端における全系の焦点距離をｆｗ、望遠端における全系の焦点距離をｆｔとしたとき
【数２】
2002006217.tif 000002
なる条件を満足することを特徴とする請求項１、２又は３の防振機能を有したズームレンズ。
【請求項５】  前記第２レンズ群の最も物体側のレンズ面は、光軸に対して回転対称な非球面形状であることを特徴とする請求項１から４のいずれか１項の防振機能を有したズームレンズ。
【請求項６】  前記第４レンズ群の少なくとも１面は、光軸に対して回転対称な非球面形状であることを特徴とする請求項１から５のいずれか１項の防振機能を有したズームレンズ。
【請求項７】  請求項１から６のいずれか１項の防振機能を有したズームレンズを有していることを特徴とする光学機器。
【手続補正２】
【補正対象書類名】明細書
【補正対象項目名】０００１
【補正方法】変更
【補正の内容】
【０００１】
【発明の属する技術分野】
本発明は防振機能を有したズームレンズ及びそれを用いた光学機器に関し、特にズームレンズの一部の単レンズを光軸と垂直方向に移動させることにより、該ズームレンズが振動（傾動）したときの画像ブレ（画像ぶれ、像ブレ）を光学的に補正して静止画像を得るようにし撮影画像の安定化を図ったフィルム用カメラ、ビデオカメラ、デジタルカメラ等の光学機器等に好適なものである。
【手続補正３】
【補正対象書類名】明細書
【補正対象項目名】０００３
【補正方法】変更
【補正の内容】
【０００３】
防振機能を有したズームレンズとしては、例えば特開平５−２３２４１０号公報では、物体側より正、負、正、正の屈折力のレンズ群より成る４群ズームレンズにおいて第２群全体を光軸に対して垂直方向に移動させることによって像ブレ補正を行うズームレンズが提案されている。前記提案は、変倍時に機能する１つのレンズ群全体を偏心させることで、光学系にぶれが生じた際の結像位置の補正を行うものである。
【手続補正４】
【補正対象書類名】明細書
【補正対象項目名】０００５
【補正方法】変更
【補正の内容】
【０００５】
特開平７−１９９１２４号公報では、正、負、正、そして正の屈折力の４つのレンズ群より成る４群構成の変倍光学系において、第３群全体を光軸と垂直方向に振動させて像ブレ補正を行っている。
【手続補正５】
【補正対象書類名】明細書
【補正対象項目名】０００７
【補正方法】変更
【補正の内容】
【０００７】
特開平９−２３０２３５号公報で提案されているズームレンズでは、１枚のレンズを像ブレ補正のために偏心させる構成となっているため、像ブレ補正のために移動させるレンズは軽量である。しかし、主に偏心により発生する諸収差の補正のために補正レンズを正、負のレンズの貼り合わせ構成としており、補正レンズの小型化、軽量化という面でまだ検討の余地があった。
【手続補正６】
【補正対象書類名】明細書
【補正対象項目名】０００８
【補正方法】変更
【補正の内容】
【０００８】
本発明は、ズームレンズの一部を構成する比較的小型軽量な一枚の単レンズを光軸と垂直方向に移動させて、ズームレンズが振動（傾動）したときの画像ブレを補正することにより、装置全体の小型化、機構上の簡素化及び駆動手段の負荷の軽減化を図りつつ画像ぶれを効果的に補正することができるズームレンズ及びそれを用いた光学機器の提供を目的とする。
【手続補正７】
【補正対象書類名】明細書
【補正対象項目名】０００９
【補正方法】変更
【補正の内容】
【０００９】
【課題を解決するための手段】
請求項１の発明の防振機能を有したズームレンズは物体側より順に、正の屈折力を有する第1レンズ群、負の屈折力を有する第２レンズ群、開口絞り、正の屈折力を有する第３レンズ群、正の屈折力を有する第４レンズ群からなり、広角端から望遠端への変倍時には、少なくとも該第1、第３、第４レンズ群が光軸上を移動することで各レンズ群間の空気間隔を変化させるズームレンズであって、該第３レンズ群は最も像側に負の屈折力の単レンズより成る第３ｎレンズを有し、該第３ｎレンズを光軸に対し垂直方向に移動することにより該ズームレンズが振動したときに生ずる画像ブレの補正を行うことを特徴としている。
【手続補正８】
【補正対象書類名】明細書
【補正対象項目名】００１７
【補正方法】変更
【補正の内容】
【００１７】
請求項５の発明は請求項１から４のいずれか１項の発明において前記第２レンズ群の最も物体側のレンズ面は、光軸に対して回転対称な非球面形状であることを特徴としている。
【手続補正９】
【補正対象書類名】明細書
【補正対象項目名】００１８
【補正方法】変更
【補正の内容】
【００１８】
請求項６の発明は請求項１から５のいずれか１項の発明において前記第４レンズ群の少なくとも１面は、光軸に対して回転対称な非球面形状であることを特徴としている。
【手続補正１０】
【補正対象書類名】明細書
【補正対象項目名】００２６
【補正方法】変更
【補正の内容】
【００２６】
レンズ断面図において（Ａ），（Ｂ），（Ｃ）は各々広角端、中間、望遠端を示している。収差図において（ａ）はブレ補正前（偏心前）の無限遠物体撮影状態での像高０の位置および１５ｍｍ、−１５ｍｍの位置での収差図であり、（ｂ）は０．３°の結像位置ブレ（画像ブレ）補正時（偏心時）の無限遠物体撮影状態での像高０の位置及び１５ｍｍ，−１５ｍｍの位置である。
【手続補正１１】
【補正対象書類名】明細書
【補正対象項目名】００２７
【補正方法】変更
【補正の内容】
【００２７】
レンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群である。ＳＰは開口絞りであり、第３レンズ群Ｌ３の前方に配置している。ＩＰは像面であり、ＣＣＤ等の撮像素子やフィルム等が配置されている。
【手続補正１２】
【補正対象書類名】明細書
【補正対象項目名】００２８
【補正方法】変更
【補正の内容】
【００２８】
第３レンズ群Ｌ３は正の屈折力の第３ｐ群Ｌ３ｐと負の屈折力の単一レンズよりなる第３ｎレンズＬ３ｎより成っている。第３ｎレンズＬ３ｎを光軸と垂直方向に移動させてズームレンズが振動したときに生ずる画像ブレを補正している。ＡＬは非球面である。広角端から望遠端への変倍に際して矢印のように各レンズ群を物体側へ移動させている。変倍に際して絞りＳＰは第３群と共に移動している。
【手続補正１３】
【補正対象書類名】明細書
【補正対象項目名】００３２
【補正方法】変更
【補正の内容】
【００３２】
以上のように本実施形態では撮影画像の画像ブレを補正するために光軸に対し垂直方向に移動させる光学系をズームレンズ中の比較的軽量な１枚の単レンズにより構成することにより、簡単な構成と装置の小型化、駆動手段の付加の軽減を図った防振機能を有したズームレンズ達成している。
【手続補正１４】
【補正対象書類名】明細書
【補正対象項目名】００４２
【補正方法】変更
【補正の内容】
【００４２】
条件式（２）の上限を超え第３ｎレンズの負の屈折力が強くなると、第３レンズ群中の第３ｎレンズ以外の正の屈折力の成分を強くしなければならなくなり、高次の球面収差やコマ収差等が大きく発生して画像ぶれ補正時の収差補正が困難となる。一方、条件式（２）の下限を超え第３ｎレンズの負の屈折力が弱くなると、一定の結像位置補正を行うための第３ｎレンズの光軸と垂直方向の移動量が大きくなるとともに、第３ｎレンズの移動時（画像ぶれ補正時）の周辺光量確保のために第３ｎレンズのレンズ径が増大するため、画像ぶれ補正レンズの小型軽量化、及び補正機構の負荷軽減の観点から望ましくない。
【手続補正１５】
【補正対象書類名】明細書
【補正対象項目名】００５７
【補正方法】変更
【補正の内容】
【００５７】
（ア−４）前記第２レンズ群の最も物体側のレンズ面は、光軸に対して回転対称な非球面形状とすることである。
【手続補正１６】
【補正対象書類名】明細書
【補正対象項目名】００５９
【補正方法】変更
【補正の内容】
【００５９】
具体的には、変倍負担を大きく持っている第２レンズ群の最も物体側のレンズ面を適切な非球面形状とすることで、変倍時に発生する諸収差を良好に補正するとともに構成枚数を減らすことができる。
【手続補正１７】
【補正対象書類名】明細書
【補正対象項目名】００６０
【補正方法】変更
【補正の内容】
【００６０】
（ア−５）前記第４レンズ群の少なくとも１面は、光軸に対して回転対称な非球面形状とすることである。第４レンズ群の負の屈折力を持つレンズの１面を適切な非球面形状とすることで、やはり変倍時の軸外収差の変動を良好に補正し、構成枚数を少なくすることができる。
【手続補正１８】
【補正対象書類名】明細書
【補正対象項目名】００６１
【補正方法】変更
【補正の内容】
【００６１】
以上説明したように、本発明の各実施形態によれば、撮影画像の画像ブレを補正するために光軸に対し垂直方向に偏心させる光学系をズームレンズ中の比較的軽量な１枚の単レンズにより構成することにより、簡単な構成と装置の小型化、駆動手段の負荷の軽減を図った防振機能を有したズームレンズが実現している。